(57)【要約】【課題】歪みの少ないＢＴＬアンプを提供する。【解決手段】非反転出力ノードＮｏｕｔ１と第１ノードＮ１との間に接続された第１帰還抵抗Ｒｆ１を有する第１差動アンプ１１と、反転出力ノードＮｏｕｔ２と第２ノードＮ２との間に接続された第２帰還抵抗Ｒｆ２を有する第２差動アンプ１２と、第１ノードＮ１と第２ノードＮ２との間に接続された第３抵抗Ｒｓと、非反転入力端子が第１差動アンプ１１の非反転入力端子に接続され、反転入力端子が第１ノードＮ１に接続され、出力端子が第２ノードＮ２に接続された第１ｇｍアンプ１３と、非反転入力端子が第２ノードＮ２に接続され、反転入力端子が第２差動アンプ１２の非反転入力端子に接続され、出力端子が第１ノードＮ１に接続された第２ｇｍアンプ１４と、を具備する。【選択図】図１
2009278583.tif 000002
【特許請求の範囲】
【請求項１】
非反転入力端子が入力ノードに接続され、反転入力端子が第１ノードに接続され、出力端子が非反転出力ノードに接続され、前記非反転出力ノードと前記第１ノードとの間に接続された第１帰還抵抗を有する第１差動アンプと、
非反転入力端子が接地ノードに接続され、反転入力端子が第２ノードに接続され、出力端子が反転出力ノードに接続され、前記反転出力ノードと前記第２ノードとの間に接続された第２帰還抵抗を有する第２差動アンプと、
前記入力ノードと前記接地ノードとの間に直列接続された第１抵抗および第２抵抗と、
前記第１ノードと前記第２ノードとの間に接続された第３抵抗と、
非反転入力端子が前記第１差動アンプの前記非反転入力端子に接続され、反転入力端子が前記第１ノードに接続され、出力端子が前記第２ノードに接続された第１ｇｍアンプと、
非反転入力端子が前記第２ノードに接続され、反転入力端子が前記第２差動アンプの前記非反転入力端子に接続され、出力端子が前記第１ノードに接続された第２ｇｍアンプと、
を具備することを特徴とするＢＴＬアンプ。
【請求項２】
前記入力ノードに第１キャパシタを介して入力信号が入力され、前記接地ノードが第２キャパシタを介して接地電位に接続され、前記第１抵抗と前記第２抵抗の接続ノードに動作点を定めるためのバイアス電圧が供給されていることを特徴とする請求項１に記載のＢＴＬアンプ。
【請求項３】
前記第１および第２ｇｍアンプの利得、前記第１および第２帰還抵抗の抵抗値、および前記第３抵抗の抵抗値が、
前記第１および第２差動アンプの動作点を定めるためのバイアス電圧が、電源電圧と接地電位との差に応じて定まる前記第１および第２差動アンプのダイナミックレンジの２分の１から前記電源電圧側または前記接地電位側にずれた場合、
前記第１差動アンプの出力信号の振幅が前記ダイナミックレンジの前記電源電圧側または前記接地電位側でクリップされたときに、前記第２差動アンプのゲインが２倍に増加し、
前記第２差動アンプの出力信号の振幅が前記ダイナミックレンジの前記電源電圧側または前記接地電位側でクリップされときに、前記第１差動アンプのゲインが２倍に増加するように、設定されていることを特徴とする請求項１に記載のＢＴＬアンプ。
【請求項４】
前記第１ｇｍアンプの利得をｇｍ１（Ｓ）、前記第２ｇｍアンプの利得をｇｍ２（Ｓ）、前記第１帰還抵抗の抵抗値をＲｆ１（Ω）、前記第２帰還抵抗の抵抗値をＲｆ２（Ω）、前記第３抵抗の抵抗値をＲｓ（Ω）、Ｋ１＝Ｒｆ２／（Ｒｓ＋Ｒｆ２）としたとき、
ｇｍ１＝２／Ｒｓ、ｇｍ２＝（Ｒｓ＋Ｒｆ１＋Ｒｆ１Ｋ１）／ＲｓＲｆ１Ｋ１
の関係にあることを特徴とする請求項３に記載のＢＴＬアンプ。
【発明の詳細な説明】
【技術分野】
【０００１】
本発明は、ＢＴＬアンプに関する。
【背景技術】
【０００２】
ＢＴＬ（Balanced Transformer Less、Bridge-Tied LoadあるいはBridged Transformer Lessの略とされることもある）アンプは、1入力に対して同位相の正出力と逆位相の負出力の２出力を設け、その出力間に接続した負荷を駆動することにより、２倍の出力ダイナミックレンジが得られるアンプである。（例えば、特許文献１参照）。
【０００３】
特許文献１に開示されたＢＴＬアンプは、非反転入力端子に入力信号が入力され、同入力信号と同相の出力信号を出力する第１のアンプと、非反転入力端子が第１のアンプの反転入力端子に接続され、反転入力端子に抵抗を介して第１のアンプの出力信号が入力され、入力信号とは逆相の出力信号を出力する第２のアンプとを具備している。  
これにより、第２のアンプでは、第１のアンプによる位相遅れが補正され、第２のアンプの出力信号は第１のアンプの出力信号より位相が僅かに進んだ状態となって両出力信号の位相差を小さくしている。
【０００４】
従来のＢＴＬアンプは、ＤＣ成分が相殺されて出力に現れないようするための動作点を定めるバイアス電圧が電源電圧の中点よりずれた場合、振幅が大きくなり、振幅の高電位側または低電位側のどちらかが先にクリップされると波形が歪むので、十分な出力振幅が得られないという問題がある。
【０００５】
然しながら、特許文献１に開示されたＢＴＬアンプは、ＢＴＬアンプの出力信号周波数の広帯域化を図るものであり、上述した問題に関してはなにも開示していない。また、示唆する記載もない。
【特許文献１】特開平５−３３５８５０号公報
【発明の開示】
【発明が解決しようとする課題】
【０００６】
本発明は、歪みの少ないＢＴＬアンプを提供する。
【課題を解決するための手段】
【０００７】
本発明の一態様のＢＴＬアンプは、非反転入力端子が入力ノードに接続され、反転入力端子が第１ノードに接続され、出力端子が非反転出力ノードに接続され、前記非反転出力ノードと前記第１ノードとの間に接続された第１帰還抵抗を有する第１差動アンプと、非反転入力端子が接地ノードに接続され、反転入力端子が第２ノードに接続され、出力端子が反転出力ノードに接続され、前記反転出力ノードと前記第２ノードとの間に接続された第２帰還抵抗を有する第２差動アンプと、前記入力ノードと前記接地ノードとの間に直列接続された第１抵抗および第２抵抗と、前記第１ノードと前記第２ノードとの間に接続された第３抵抗と、非反転入力端子が前記第１差動アンプの前記非反転入力端子に接続され、反転入力端子が前記第１ノードに接続され、出力端子が前記第２ノードに接続された第１ｇｍアンプと、非反転入力端子が前記第２ノードに接続され、反転入力端子が前記第２差動アンプの前記非反転入力端子に接続され、出力端子が前記第１ノードに接続された第２ｇｍアンプと、を具備することを特徴としている。
【発明の効果】
【０００８】
本発明によれば、歪みの少ないＢＴＬアンプが得られる。
【発明を実施するための最良の形態】
【０００９】
以下、本発明の実施例について図面を参照しながら説明する。
【実施例】
【００１０】
本発明の実施例１に係るＢＴＬアンプについて図１乃至図３を用いて説明する。図１は本実施例のＢＴＬアンプを示す回路図、図２はＢＴＬアンプの動作を比較例と対比して示す図で、図２（ａ）、（ｂ）、（ｃ）は本実施例の動作を示す図、図２（ｄ）、（ｅ）、（ｆ）は比較例の動作を示す図、図３は比較例のＢＴＬアンプを示す回路図である。
【００１１】
図１に示すように、本実施例のＢＴＬアンプ１０は、非反転入力端子が入力ノードＮｉｎに接続され、反転入力端子が第１ノードＮ１に接続され、出力端子が非反転出力ノードＮｏｕｔ１に接続され、非反転出力ノードＮｏｕｔ１と第１ノードＮ１との間に接続された第１帰還抵抗Ｒｆ１を有する第１差動アンプ１１と、非反転入力端子が接地ノードＮｇｎｄに接続され、反転入力端子が第２ノードＮ２に接続され、出力端子が反転出力ノードＮｏｕｔ２に接続され、反転出力ノードＮｏｕｔ２と第２ノードＮ２との間に接続された第２帰還抵抗Ｒｆ２を有する第２差動アンプ１２と、入力ノードＮｉｎと接地ノードＮｇｎｄとの間に接続された第１抵抗Ｒｉｎおよび第２抵抗Ｒａｃと、第１ノードＮ１と第２ノードＮ２との間に接続された第３抵抗Ｒｓと、を具備している。
【００１２】
更に、ＢＴＬアンプ１０は、非反転入力端子が第１差動アンプ１１の非反転入力端子に接続され、反転入力端子が第１ノードＮ１に接続され、出力端子が第２ノードＮ２に接続された第１ｇｍアンプ１３と、非反転入力端子が第２ノードＮ２に接続され、反転入力端子が第２差動アンプ１２の非反転入力端子に接続され、出力端子が第１ノードＮ１に接続された第２ｇｍアンプ１４と、を具備している。
【００１３】
ＢＴＬアンプ１０は、入力ノードＮｉｎに第１キャパシタＣ１を介して入力信号Ｖｉｎが入力され、接地ノードＮｇｎｄが第２キャパシタＣ２を介して接地電位ＧＮＤに接続され、第１抵抗Ｒｉｎと第２抵抗Ｒａｃの接続ノード（以後、第３ノードという）Ｎ３に動作点を定めるためのバイアス電圧Ｖｒｅｆが供給されている。  
ＢＴＬアンプ１０は、非反転出力ノードＮｏｕｔ１と反転出力ノードＮｏｕｔ２との間に、負荷となるスピーカ１５が接続されている。  
スピーカ１５には、第１差動アンプ１１の非反転出力Ｖｏｕｔ１と第２差動アンプ１２の反転出力Ｖｏｕｔ２の差電圧であるＢＴＬ出力Ｖｂｔｌ＝Ｖｏｕｔ１−Ｖｏｕｔ２が印加される。
【００１４】
バイアス電圧Ｖｒｅｆは、ＤＣ成分が相殺されて出力に現れないように、電源電圧Ｖｃｃと接地電位Ｖｇｎｄとの差に応じて定まるダイナミックレンジの２分の１（理想的にはＶｃｃ−Ｖｇｎｄ）／２＝Ｖｃｃ／２）に設定される。  
従って、第１抵抗Ｒｉｎと第２抵抗Ｒａｃとは抵抗値が互いに等しく、Ｒｉｎ＝Ｒａｃに設定されている。
【００１５】
第１差動アンプ１１は非反転アンプであり、入力信号Ｖｉｎと同相の非反転出力Ｖｏｕｔ１を出力する。  
第１差動アンプ１１の非反転入力端子と反転入力端子との間は仮想接地状態であり、非反転入力端子と反転入力端子の間の電位差ΔＶ１は０Ｖに保たれているので、第１差動アンプ１１の利得Ｇｖ１は周知のように第１帰還抵抗Ｒｆ１と第３抵抗Ｒｓを用いて、次式で表わされる。  
【数１】
2009278583.tif 000003
【００１６】
第２差動アンプ１２は第１差動アンプ１１の非反転出力Ｖｏｕｔ１を入力信号とする反転アンプであり、入力信号Ｖｉｎと逆相の反転出力Ｖｏｕｔ２を出力する。  
第２差動アンプ１２の非反転入力端子と反転入力端子との間は仮想接地状態であり、非反転入力端子と反転入力端子との間の電位差ΔＶ２は０Ｖに保たれているので、第２差動アンプ１２の利得Ｇｖ２は周知のように第２帰還抵抗Ｒｆ２と第３抵抗Ｒｓを用いて、次式で表わされる。  
【数２】
2009278583.tif 000004
【００１７】
第２ｇｍアンプ１４は、第２差動アンプ１２の非反転入力端子と反転入力端子の間の電位差ΔＶ２を検出し、電位差ΔＶ２に比例した電圧を電流に変換し、電流Ｉ２＝ｇｍ２ΔＶ２を出力する。  
電流Ｉ２は第１ノードＮ１を介して第１差動アンプ１１の反転入力端子に流れ込むので、電流Ｉ２に応じて、第１差動アンプ１１の非反転出力Ｖｏｕｔ１が変化する。
【００１８】
このときの第１差動アンプ１１の利得Ｇｖ３は、次式で表わされる。  
【数３】
2009278583.tif 000005
【数４】
2009278583.tif 000006
【００１９】
電位差ΔＶ２が０である限り、電流Ｉ２は０なので、第２ｇｍアンプ１４は第１差動アンプ１１の利得に影響を与えない。
【００２０】
第１ｇｍアンプ１３は、第１差動アンプ１１の非反転入力端子と反転入力端子との間の電位差ΔＶ１を検出し、電位差ΔＶ１に比例した電圧を電流に変換し、電流Ｉ１＝ｇｍ１ΔＶ１を出力する。  
電流Ｉ１は第２ノードＮ２を介して第２差動アンプ１２の反転入力端子に流れ込むので、電流Ｉ１に応じて、第２差動アンプ１２の反転出力Ｖｏｕｔ２が変化する。
【００２１】
このときの第２差動アンプ１２の利得Ｇｖ４は、次式で表わされる。  
【数５】
2009278583.tif 000007
【００２２】
電位差ΔＶ１が０である限り、電流Ｉ１は０なので、第１ｇｍアンプ１３は第２差動アンプ１２の利得に影響を与えない。
【００２３】
ここで、第１および第２ｇｍアンプ１３、１４の利得、第１および第２帰還抵抗Ｒｆ１、Ｒｆ２の抵抗値、および第３抵抗Ｒｓの抵抗値は、第１差動アンプ１１の利得Ｇｖ１、Ｇｖ３が２ＧＶ１＝Ｇｖ３になり、第２１差動アンプ１２の利得Ｇｖ２、Ｇｖ４が２Ｇｖ２＝Ｇｖ４になるように設定されている。
【００２４】
具体的には、２ＧＶ２＝Ｇｖ４より、ｇｍ１は次式で表わされる。  
【数６】
2009278583.tif 000008
【００２５】
２ＧＶ１＝Ｇｖ３より、ｇｍ２は次式で表わされる。  
【数７】
2009278583.tif 000009
【００２６】
図２は本実施例のＢＴＬアンプの動作を比較例と対比して示す図で、図２（ａ）は本実施例のＢＴＬアンプの非反転出力と反転出力を示す図、図２（ｂ）は本実施例の第１、第２差動アンプの利得を示す図、図２（ｃ）は本実施例のＢＴＬアンプの出力を示す図、図２（ｄ）は比較例の非反転出力と反転出力を示す図、図２（ｅ）は比較例の第１、第２差動アンプの利得を示す図、図２（ｆ）は比較例の出力を示す図である。  
ここで、比較例とは第１ｇｍアンプおよび第２ｇｍアンプを具備しないＢＴＬアンプを示している。
【００２７】
図３は比較例のＢＴＬアンプを示す回路図で、本実施例のＢＴＬアンプと同一の構成部分には同一符号を付してその部分の説明は省略し、異なる部分について説明する。  
図３に示すように、比較例のＢＴＬアンプ３０は、入力端が第１抵抗Ｒｉｎを２分割して得た第１抵抗Ｒｉｎ１と第１抵抗Ｒｉｎ２との第４接続ノードＮ４に接続され、出力端が第３抵抗Ｒｓを２分割して得た第３抵抗Ｒｓ１と第３抵抗Ｒｓ２との第５接続ノードＮ５に接続された利得が１のバッフア３１を具備している。
【００２８】
始めに、バイアス電圧Ｖｒｅｆが正確にＶｃｃ／２の場合、正弦波の入力信号Ｖｉｎに対して、歪みなく出力可能な非反転出力Ｖｏｕｔ１、反転出力Ｖｏｕｔ２の最大振幅はＶｃｃであり、歪みのないＢＴＬ出力Ｖｂｔｌの最大振幅は２Ｖｃｃとなる。
【００２９】
図２（ｄ）に示すように、比較例は、バイアス電圧Ｖｒｅｆが変動してＶｃｃ／２からδだけ接地電位側にずれた場合、１／２周期に相当する時間ｔ１と時間ｔ２の間で、反転出力Ｖｏｕｔ２が接地電位Ｖｇｎｄより低くなると、反転出力Ｖｏｕｔ２の底部２１が接地電位Ｖｇｎｄでクリップされる。
【００３０】
非反転出力Ｖｏｕｔ１は、バッファ３１の働きにより、非反転出力Ｖｏｕｔ１の頂部２２はクリップされない。  
これは、反転出力Ｖｏｕｔ２の底部２１が接地電位Ｖｇｎｄでクリップされると、第２差動アンプ１２の出力から第２ノードＮ２へ帰還される電流帰還量が減少し、第２ノードＮ２の電位が低下すると、バッファ３１が第５ノードＮ５に電流を供給し、第５ノードＮ５の電位を第４ノードＮ４の電位に保つ働きをし、第１差動アンプ１１の電流帰還量の減少が補償されるためである。
【００３１】
次の１／２周期に相当する時間ｔ２と時間ｔ３との間では逆の関係になり、非反転出力Ｖｏｕｔ１が接地電位Ｖｇｎｄより低くなるので、非反転出力Ｖｏｕｔ１の底部２３が接地電位Ｖｇｎｄでクリップされる。  
上述したように、反転出力Ｖｏｕｔ２は、バッファ３１の働きにより、反転出力Ｖｏｕｔ２の頂部２４はクリップされない。
【００３２】
このとき、図２（ｅ）に示すように、第１差動アンプ１１の利得はＧｖ１であり、第２差動アンプの利得は、Ｇｖ２で変わらない。
【００３３】
その結果、図２（ｆ）に示すように、非反転出力Ｖｏｕｔ１と反転出力Ｖｏｕｔ２の差電圧であるＢＴＬ出力Ｖｂｔｌは、時間ｔ１と時間ｔ２の間で頂部２５が潰れ、時間ｔ２と時間ｔ３の間で底部２６が潰れるので、波形歪が発生する。
【００３４】
波形歪を抑えるには、入力信号Ｖｉｎを絞って、非反転出力Ｖｏｕｔ１の振幅および反転出力Ｖｏｕｔ２の振幅を減少させ、反転出力Ｖｏｕｔ２の底部２1、非反転出力Ｖｏｕｔ１の底部２３が、接地電位Ｖｇｎｄでクリップされないようにする必要がある。  
従って、十分な出力振幅（理想的には２Ｖｃｃ）が得られず、ＢＴＬ出力Ｖｂｔｌが減少する。
【００３５】
一方、図２（ａ）に示すように、本実施例は、時間ｔ１と時間ｔ２の間で、反転出力Ｖｏｕｔ２の底部２１が接地電位Ｖｇｎｄでクリップされると、第２差動アンプ１２の出力から第２ノードＮ２へ帰還される電流帰還量が減少するので、第２差動アンプ１２の非反転入力と反転入力とに差異が生じ、電位差ΔＶ２が発生する。  
電位差ΔＶ２は第２ｇｍアンプ１４で検出され、電流Ｉ２が第１差動アンプ１１に入力される。
【００３６】
このとき、図２（ｂ）に示すように、第１差動アンプ１１の利得がＧｖ１からＧｖ３に２倍に増加するので、クリップされた底部２１の振幅と同じ振幅を有する補正部２７が非反転出力Ｖｏｕｔ１の頂部２２に加算される。
【００３７】
次の１／２周期に相当する時間ｔ２と時間ｔ３との間では逆の関係になり、非反転出力Ｖｏｕｔ１の底部２３が接地電位Ｖｇｎｄでクリップされると、第１差動アンプ１１の出力から第１ノードＮ１へ帰還される電流帰還量が減少するので、第１差動アンプ１１の非反転入力と反転入力とに差異が生じ、電位差ΔＶ１が発生する。
【００３８】
電位差ΔＶ１は第１ｇｍアンプ１３で検出され、電流Ｉ１が第２差動アンプ１２に入力される。  
このとき、第２差動アンプ１２の利得がＧｖ２からＧｖ４に２倍に増加するので、クリップされた底部２３の振幅と同じ振幅を有する補正部２８が反転出力Ｖｏｕｔ２の頂部２４に加算される。
【００３９】
その結果、図２（ｃ）に示すように、非反転出力Ｖｏｕｔ１と反転出力Ｖｏｕｔ２の差電圧であるＢＴＬ出力Ｖｂｔｌは、時間ｔ１と時間ｔ２の間で頂部２５が正確に再現され、時間ｔ２と時間ｔ３の間底部２６が正確に再現されるので、波形歪の発生を抑えることが可能である。
【００４０】
従って、入力信号Ｖｉｎをフルスイングさせられるので、十分な出力振幅を有するＢＴＬ出力Ｖｂｔｌが得られ、２Ｖｃｃまでのダイナミックレンジが保証される。
【００４１】
バイアス電圧Ｖｒｅｆが変動してＶｃｃ／２からδだけ電源電圧側にずれた場合も同様に、上述とは逆の動作が行なわれるので、その説明は省略する。
【００４２】
以上説明したように、本実施例のＢＴＬアンプ１０は、バイアス電圧Ｖｒｅｆが、電源電圧Ｖｃｃと接地電位Ｖｇｎｄとの差に応じて定まる第１および第２差動アンプ１１、１２のダイナミックレンジの２分の１(理想的にはＶｃｃ／２)から電源電圧側または接地電位側にずれた場合、非反転出力信号Ｖｏｕｔ１の振幅が電源電圧側または接地電位側でクリップされたときを検出し、第２差動アンプ１２のゲインを２倍増加させる第１ｇｍアンプと、反転出力信号Ｖｏｕｔ２の振幅が電源電圧側または接地電位側でクリップされたことを検出し、第１差動アンプ１１のゲインを２倍に増加させる第２ｇｍアンプと、具備している。
【００４３】
その結果、クリップされた振幅と同じ振幅が、クリップされていない方の出力に加算される。従って、歪の少ないＢＴＬアンプ１０が得られる。  
これにより、十分な出力振幅を有するＢＴＬ出力Ｖｂｔｌが得られ、２Ｖｃｃまでダイナミックレンジが保証される。
【００４４】
ここでは、第１差動アンプ１１および第２差動アンプ１２を用いたＢＴＬアンプ１０について説明したが、差動アンプに替えて単一入力のアンプを用いたＢＴＬアンプにおいても、バイアス電圧Ｖｒｅｆがずれた場合に、単一入力アンプの出力がクリップされたときを検出し、クリップされた振幅と同じ振幅をクリップされていない方の出力に加算し、歪の少ないＢＴＬアンプを得ることが可能である。
【００４５】
本発明は、以下の付記に記載されているような構成が考えられる。  
（付記）  入力信号と同相の第１出力信号を出力する第１アンプと、前記入力信号と逆相の第２出力信号を出力する第２アンプと、前記第１および第２アンプの動作点を定めるためのバイアス電圧が、電源電圧と接地電位との差に応じて定まる前記第１および第２アンプのダイナミックレンジの２分の１から前記電源電圧側または前記接地電位側にずれた場合、前記第１出力信号の振幅が前記ダイナミックレンジの前記電源電圧側または前記接地電位側でクリップされたときを検出し、前記第２アンプのゲインを２倍に増加させる第１利得調整手段と、前記第２出力信号の振幅が前記ダイナミックレンジの前記電源電圧側または前記接地電位側でクリップされたことを検出し、前記第１アンプのゲインを２倍に増加させる第２利得調整手段と、を具備するＢＴＬアンプ。
【図面の簡単な説明】
【００４６】
【図１】本発明の実施例に係るＢＴＬアンプを示す回路図。
【図２】本発明の実施例に係るＢＴＬアンプの動作を比較例と対比して示す図で、図２（ａ）は本実施例のＢＴＬアンプの非反転出力と反転出力を示す図、図２（ｂ）は本実施例の第１、第２差動アンプの利得を示す図、図２（ｃ）は本実施例のＢＴＬアンプの出力を示す図、図２（ｄ）は比較例の非反転出力と反転出力を示す図、図２（ｅ）は比較例の第１、第２差動アンプの利得を示す図、図２（ｆ）は比較例の出力を示す図。
【図３】本発明の実施例に係る比較例のＢＴＬアンプを示す回路図。
【符号の説明】
【００４７】
１０、３０  ＢＴＬアンプ
１１  第１差動アンプ
１２  第２差動アンプ
１３  第１ｇｍアンプ
１４  第２ｇｍアンプ
１５  スピーカ
２１、２３、２６  底部
２２、２４、２６  頂部
２７、２８  補正部
３１  バッファ
Ｒｆ１  第１帰還抵抗
Ｒｆ２  第２帰還抵抗
Ｒｉｎ、Ｒｉｎ１、Ｒｉｎ２  第１抵抗
Ｒａｃ  第２抵抗
Ｒｓ、Ｒｓ１、Ｒｓ２  第３抵抗
Ｎｉｎ  入力ノード
Ｎｇｎｄ  接地ノード
Ｎｏｕｔ１  非反転出力ノード
Ｎｏｕｔ２  反転出力ノード
Ｎ１  第１ノード
Ｎ２  第２ノード
Ｎ３  第３ノード
Ｃ１  第１キャパシタ
Ｃ２  第２キャパシタ
Ｖｉｎ  入力信号
Ｖｏｕｔ１  非反転出力
Ｖｏｕｔ２  反転出力
Ｖｒｅｆ  バイアス電圧
Ｖｃｃ  電源電圧
Ｖｇｎｄ  接地電位
δ  ずれ
Ｖｂｔｌ  ＢＴＬ出力
Ｎ４  第４ノード
Ｎ５  第５ノード
【図１】
2009278583.tif 000010
【図２】
2009278583.tif 000011
【図３】
2009278583.tif 000012